【手続補正書】
【提出日】平成25年2月14日(2013.2.14)
【手続補正１】
【補正対象書類名】特許請求の範囲
【補正対象項目名】全文
【補正方法】変更
【補正の内容】
【特許請求の範囲】
【請求項１】
１つ以上の有機発光性材料および／または電荷輸送性材料、１つ以上の有機溶媒、ならびに調合物の導電性を増大させる１つ以上の添加剤（導電性添加剤）を含む調合物であって、前記導電性添加剤は、揮発性であり、および／または前記有機発光性材料および／または電荷輸送性材料と化学反応し得ない調合物。
【請求項２】
請求項１に記載の調合物であって、前記導電性添加剤は、非酸化性有機塩、揮発性有機塩、アルコール、揮発性カルボン酸および有機アミンからなる群より選択されることを特徴とする調合物。
【請求項３】
請求項２に記載の調合物であって、前記導電性添加剤は、第四級アンモニウム塩、ホスホニウム塩、イミダゾリウム塩および他のヘテロ環塩からなる群より選択され、ここで、アニオンは、ハロゲン化物、スルフェート、アセテート、ホルメート、テトラフルオロボレート、ヘキサフルオロホスフェート、メタンスルホネート、トリフレート（トリフルオロメタンスルホネート）およびビス(トリフルオロメチルスルホニル)イミドからなる群より選択されることを特徴とする調合物。
【請求項４】
請求項２に記載の調合物であって、前記導電性添加剤は、イソプロピルアルコール、イソブタノール、ヘキサノール、メタノール、エタノール、ギ酸、酢酸、ジ-またはトリフルオロ酢酸、および１級または２級アルキルアミンからなる群より選択されることを特徴とする調合物。
【請求項５】
請求項１〜４の１項以上に記載の調合物であって、前記導電性添加剤は、５重量％未満の合計濃度で存在することを特徴とする調合物。
【請求項６】
請求項１〜５の１項以上に記載の調合物であって、１０−５〜１０−９Ｓ／ｍの導電率を有することを特徴とする調合物。
【請求項７】
請求項１〜６の１項以上に記載の調合物であって、前記溶媒は、芳香族炭化水素、アニソール、アルキルアニソール、ナフタレン誘導体、アルキルナフタレン、ジヒドロナフタレン誘導体、テトラヒドロナフタレン誘導体、芳香族エステル、芳香族ケトン、アルキルケトン、ヘテロ芳香族溶媒、ハロゲンアリールおよびアニリン誘導体からなる群より選択されることを特徴とする調合物。
【請求項８】
請求項７に記載の調合物であって、前記溶媒は、トルエン、ｏ−、ｍ−またはｐ−キシレン、トリメチルベンゼン、テトラリン、他のモノ−、ジ−、トリ−およびテトラアルキルベンゼン、アニソール、アルキルアニソール、ナフタレン誘導体、アルキルナフタレン誘導体ならびにジ−およびテトラヒドロナフタレン誘導体からなる群より選択されることを特徴とする調合物。
【請求項９】
請求項１〜８の１項以上に記載の調合物であって、前記有機発光性材料および電荷輸送性材料は、（i）置換ポリ-ｐ-アリーレンビニレン (PAVs)、（ii）置換ポリフルオレン(PFs)、（iii）置換ポリスピロビフルオレン (PSFs)、（iv）置換ポリ-パラ-フェニレン (PPPs) または -ビフェニレン、（v）置換ポリジヒドロフェナントレン (PDHPs)、（vi）置換ポリ-トランス-インデノフルオレンおよびポリ-シス-インデノフルオレン (PIFs)、（vii）置換ポリフェナントレン、（viii）置換ポリチオフェン (PTs)、（ix）ポリピリジン (PPys)、（x）ポリピロール、（xi）分類（i）〜（x）の２つ以上からの構造単位を有する置換された可溶性の共重合体、（xii）Synth. Met 1999, 101/102におけるICSM '98, Part I & IIのProc. に開示されている、有機溶媒に可溶な共役ポリマー、（xiii）置換および非置換のポリビニルカルバゾール (PVKs)、（xiv）置換および非置換のトリアリールアミンポリマー、（xv）置換および非置換のポリシリレンおよびポリゲルミレン、および（xvi）燐光を発する単位を含む可溶性ポリマーからなる群より選択されることを特徴とする調合物。
【請求項１０】
請求項１〜９の１項以上に記載の調合物であって、前記有機発光性材料は、発光し、さらに３８より大きな原子番号を有する少なくとも１つの原子を含む有機燐光性化合物であることを特徴とする調合物。
【請求項１１】
請求項１０に記載の調合物であって、前記燐光性化合物は、式（１）〜（４）の化合物であることを特徴とする調合物：
【化１】
2012530819.tif 000001
式中、
ＤＣｙは、出現毎に同じまたは異なり、少なくとも１つのドナー原子、好ましくは窒素、カルベンの形態の炭素またはリンを含む環状基であり、該環状基は前記ドナー原子を介して金属に結合し、そして１つ以上の置換基Ｒ１を有してよく；基ＤＣｙおよびＣＣｙは、共有結合を介して相互に連結し；
ＣＣｙは、出現毎に同じまたは異なり、炭素原子を含む環状基であり、該環状基は前記炭素原子を介して金属に結合し、そして１つ以上の置換基Ｒ１を有してよく；
Ａは、出現毎に同じまたは異なり、モノアニオン性の二座のキレート配位子であり、好ましくはジケトナート配位子であり；
Ｒ１は、各場合において同じまたは異なり、Ｆ、Ｃｌ、Ｂｒ、Ｉ、ＮＯ２、ＣＮ、１〜２０の炭素原子を有する直鎖状、分岐状もしくは環状のアルキル基もしくはアルコキシ基（ここで、１つ以上の非隣接性のＣＨ２ 基は、−Ｏ−、−Ｓ−、−ＮＲ２−、−ＣＯＮＲ２−、−ＣＯ−Ｏ−、−Ｃ＝Ｏ−、−ＣＨ＝ＣＨ−または−Ｃ≡Ｃ−で置換されてよく、１つ以上の水素原子は、Ｆで置換されてよい）、または４〜１４の炭素原子を有し、１つ以上の非芳香族のＲ１基で置換されてよいアリール基もしくはヘテロアリール基であり、複数の置換基Ｒ１は、同一の環上または２つの異なる環上において、一緒になって単環もしくは多環の脂肪族もしくは芳香族の環系を形成してよく；
Ｒ２は、各場合において同じまたは異なり、１〜２０の炭素原子を有する直鎖状、分岐状もしくは環状のアルキル基もしくはアルコキシ基（ここで、１つ以上の非隣接性のＣＨ２基は、−Ｏ−、−Ｓ−、−ＣＯ−Ｏ−、−Ｃ＝Ｏ−、−ＣＨ＝ＣＨ−または−Ｃ≡Ｃ−により置換されてよく、１つ以上の水素原子は、Ｆにより置換されてよい）、または４〜１４の炭素原子を有し、１つ以上の非芳香族のＲ１基で置換されてよいアリール基もしくはヘテロアリール基である。
【請求項１２】
請求項１〜１１の１項以上に記載の調合物であって、該調合物は、１００％の溶媒または溶媒混合物に基づいて、０．０１〜２０重量％の有機発光性材料および／または電荷輸送性材料を含むことを特徴とする調合物。
【請求項１３】
請求項１〜１２の１項以上に記載の調合物であって、該調合物はさらに、ドーパント、ホスト材料、正孔注入性材料、正孔輸送性材料、電子注入性材料および／または電子輸送性材料を含むことを特徴とする調合物。
【請求項１４】
ＯＬＥＤデバイスの製造のためのコーティングまたは印刷用インクとしての、請求項１〜１３の１項以上に記載の調合物の使用。
【請求項１５】
有機発光ダイオード（ＯＬＥＤ）デバイスの製造方法であって、以下のステップを含む方法：
ａ）請求項１〜１３の１項以上に記載の調合物を基板上に積層し、フィルムまたは層を形成することと、
ｂ）溶媒ならびに揮発性であるか、または有機発光材料および／または電荷輸送性材料と化学反応し得ないいずれかの導電性添加剤を除去すること。
【請求項１６】
請求項１〜１３の１項以上に記載の調合物から、または請求項１５に記載の方法により製造されたＯＬＥＤデバイス。